(57)【要約】【課題】画像の種別等の情報があらかじめ画像に対応付けられていない場合でも、表示させる画像に応じて動作モードの変更方法を最適化することができる動作モード変更方法決定装置、表示端末、決定方法、及び動作モード変更方法決定プログラムを提供する。【解決手段】画像データが取得されると、取得された画像データが解析され、画像の文書領域、図形領域、及び写真領域の少なくともいずれかが抽出される（Ｓ２）。抽出された各領域について、ユーザが領域を閲覧する推定の時間である推定閲覧時間が割り出される（Ｓ６）。画像の切り替えが可能な第一動作モードから、第一動作モードよりも消費電力が少ない第二動作モードへ変更されるタイミングが、割り出された推定閲覧時間に応じて決定される（Ｓ１０〜Ｓ１３）。【選択図】図８
2010198271.tif 000002
【特許請求の範囲】
【請求項１】
画像を表示する表示端末に対し、画像の表示切り替えが可能な第一動作モード、及び前記第一動作モードよりも少ない電力で動作する第二動作モードを少なくとも含む複数の動作モードの変更を行う変更手段の動作モードの変更方法を決定する動作モード変更方法決定装置であって、
前記表示端末に表示される画像データを取得するデータ取得手段と、
前記データ取得手段によって取得された前記画像データから、画像の文書領域、図形領域、及び写真領域の少なくともいずれかを抽出する領域抽出手段と、
前記領域抽出手段によって抽出された各領域について、ユーザが前記領域を閲覧する推定の時間である推定閲覧時間を割り出す時間割り出し手段と、
前記時間割り出し手段によって割り出された各領域の前記推定閲覧時間によって、画像の表示開始から動作モードを前記第二動作モードに変更するまでの変更時間を決定する決定手段とを備えたことを特徴とする動作モード変更方法決定装置。
【請求項２】
前記決定手段は、前記時間割り出し手段によって割り出された各領域の前記推定閲覧時間が長い程、画像の表示開始から動作モードを前記第二動作モードに変更するまでが短い前記変更時間を決定することを特徴とする請求項１に記載の動作モード変更方法決定装置。
【請求項３】
前記領域抽出手段によって抽出された前記文書領域に含まれる文字の数を割り出す文字数割り出し手段を備え、
前記時間割り出し手段は、前記文書領域に含まれる文字の数に基づいて前記文書領域の前記推定閲覧時間を割り出すことを特徴とする請求項１又は２に記載の動作モード変更方法決定装置。
【請求項４】
前記領域抽出手段によって抽出された前記図形領域、及び前記写真領域の少なくともいずれかの面積を割り出す面積割り出し手段を備え、
前記時間割り出し手段は、前記面積割り出し手段によって割り出された面積に基づいて、面積が割り出された領域の前記推定閲覧時間を割り出すことを特徴とする請求項１乃至３のいずれかに記載の動作モード変更方法決定装置。
【請求項５】
前記時間割り出し手段が前記推定閲覧時間を割り出す基準となる基準情報を記憶する記憶手段から、前記基準情報を取得する基準情報取得手段と、
前記表示端末の動作の履歴に基づいて前記基準情報を更新する更新手段とを備え、
前記時間割り出し手段は、前記基準情報取得手段によって取得された最新の前記基準情報に基づいて前記推定閲覧時間を割り出すことを特徴とする請求項１乃至４のいずれかに記載の動作モード変更方法決定装置。
【請求項６】
画像が前記表示端末に実際に表示された表示時間を取得する表示時間取得手段を備え、
前記更新手段は、前記表示端末に表示された表示画像と、前記表示画像について前記表示時間取得手段が取得した前記表示時間とに基づいて前記基準情報を更新することを特徴とする請求項５に記載の動作モード変更方法決定装置。
【請求項７】
前記表示時間取得手段によって取得された前記表示時間が所定時間以上である場合に、前記更新手段が行う前記基準情報の更新を禁止する更新禁止手段を備えたことを特徴とする請求項６に記載の動作モード変更方法決定装置。
【請求項８】
請求項１乃至７のいずれかに記載の動作モード変更方法決定装置と、
前記画像を表示する表示手段と、
前記データ取得手段によって取得された前記画像データによって前記表示手段に画像を表示させる表示制御手段と、
動作モードを変更する前記変更手段とを備えたことを特徴とする表示端末。
【請求項９】
画像を表示する表示端末に対し、画像の表示切り替えが可能な第一動作モード、及び前記第一動作モードよりも少ない電力で動作する第二動作モードを少なくとも含む複数の動作モードの変更を行う変更手段の動作モードの変更方法を決定する決定方法であって、
前記表示端末に表示される画像データを取得するデータ取得ステップと、
前記データ取得ステップによって取得された前記画像データから、画像の文書領域、図形領域、及び写真領域の少なくともいずれかを抽出する領域抽出ステップと、
前記領域抽出ステップによって抽出された各領域について、ユーザが前記領域を閲覧する推定の時間である推定閲覧時間を割り出す時間割り出しステップと、
前記時間割り出しステップによって割り出された各領域の前記推定閲覧時間によって、画像の表示開始から動作モードを前記第二動作モードに変更するまでの変更時間を決定する決定ステップとを備えたことを特徴とする決定方法。
【請求項１０】
請求項１乃至７のいずれかに記載の動作モード変更方法決定装置の各種処理手段としてコンピュータを機能させるための動作モード変更方法決定プログラム。
【発明の詳細な説明】
【技術分野】
【０００１】
本発明は、表示端末の動作モードの変更方法を決定する動作モード変更方法決定装置、表示端末、決定方法、及び動作モード変更方法決定プログラムに関する。
【０００２】
従来、低消費電力化を図るために、表示端末の動作モードを変更する方法が知られている。動作モードには、一般に、通常モード及び省電力モードがある。通常モードでは、画像の切り替え等の処理の応答性が省電力モードよりも優れる。省電力モードでは、処理の応答性は通常モードより悪いが、消費電力が小さい。従って、画像が頻繁に切り替えられる場合には通常モードで表示端末を動作させることが望ましく、画像の切り替えの頻度が低い場合には、なるべく早いタイミングで省電力モードへ移行させるのが望ましい。
【０００３】
そこで、表示させる画像の種別に応じて動作モードを変更する表示端末が知られている（例えば、特許文献１参照）。この表示端末が表示させる画像の画像ファイルには、あらかじめ画像の種別を示す情報が含まれており、画像の種別の情報に応じて動作モードを変更することで、処理の応答性を担保しつつ消費電力を低下させている。また、文書を表示させる場合に、文書中に含まれる文字数の情報に応じて動作モードを変更する表示端末も知られている（例えば、特許文献２参照）。
【先行技術文献】
【特許文献】
【０００４】
【特許文献１】特開２００５−１８６４０号公報
【特許文献２】特開２００７−１２１３７４号公報
【発明の概要】
【発明が解決しようとする課題】
【０００５】
しかしながら、このような従来の表示端末では、画像についての情報を画像にあらかじめ対応付けておかなければならなかった。従って、スキャナで取り込んだ画像等、種別も文字数も不明である画像を表示させる場合には、動作モードの変更方法を画像に応じて最適化することができないという問題点があった。
【０００６】
本発明は上記課題を解決するためになされたものであり、画像の種別等の情報があらかじめ画像に対応付けられていない場合でも、表示させる画像に応じて動作モードの変更方法を最適化することができる動作モード変更方法決定装置、表示端末、決定方法、及び動作モード変更方法決定プログラムを提供することを目的とする。
【課題を解決するための手段】
【０００７】
上記目的を達成するために、本発明の請求項１に記載の動作モード変更方法決定装置は、画像を表示する表示端末に対し、画像の表示切り替えが可能な第一動作モード、及び前記第一動作モードよりも少ない電力で動作する第二動作モードを少なくとも含む複数の動作モードの変更を行う変更手段の動作モードの変更方法を決定する動作モード変更方法決定装置であって、前記表示端末に表示される画像データを取得するデータ取得手段と、前記データ取得手段によって取得された前記画像データから、画像の文書領域、図形領域、及び写真領域の少なくともいずれかを抽出する領域抽出手段と、前記領域抽出手段によって抽出された各領域について、ユーザが前記領域を閲覧する推定の時間である推定閲覧時間を割り出す時間割り出し手段と、前記時間割り出し手段によって割り出された各領域の前記推定閲覧時間によって、画像の表示開始から動作モードを前記第二動作モードに変更するまでの変更時間を決定する決定手段とを備えている。
【０００８】
また、本発明の請求項２に記載の動作モード変更方法決定装置は、請求項１に記載の発明の構成に加え、前記決定手段は、前記時間割り出し手段によって割り出された各領域の前記推定閲覧時間が長い程、画像の表示開始から動作モードを前記第二動作モードに変更するまでが所定時間よりも短い前記変更時間を決定することを特徴とする。
【０００９】
また、本発明の請求項３に記載の動作モード変更方法決定装置は、請求項１又は２に記載の発明の構成に加え、前記領域抽出手段によって抽出された前記文書領域に含まれる文字の数を割り出す文字数割り出し手段を備え、前記時間割り出し手段は、前記文書領域に含まれる文字の数に基づいて前記文書領域の前記推定閲覧時間を割り出すことを特徴とする。
【００１０】
また、本発明の請求項４に記載の動作モード変更方法決定装置は、請求項１乃至３のいずれかに記載の発明の構成に加え、前記領域抽出手段によって抽出された前記図形領域、及び前記写真領域の少なくともいずれかの面積を割り出す面積割り出し手段を備え、前記時間割り出し手段は、前記面積割り出し手段によって割り出された面積に基づいて、面積が割り出された領域の前記推定閲覧時間を割り出すことを特徴とする。
【００１１】
また、本発明の請求項５に記載の動作モード変更方法決定装置は、請求項１乃至４のいずれかに記載の発明の構成に加え、前記時間割り出し手段が前記推定閲覧時間を割り出す基準となる基準情報を記憶する記憶手段から、前記基準情報を取得する基準情報取得手段と、前記表示端末の動作の履歴に基づいて前記基準情報を更新する更新手段とを備え、前記時間割り出し手段は、前記基準情報取得手段によって取得された最新の前記基準情報に基づいて前記推定閲覧時間を割り出すことを特徴とする。
【００１２】
また、本発明の請求項６に記載の動作モード変更方法決定装置は、請求項５に記載の発明の構成に加え、画像が前記表示端末に実際に表示された表示時間を取得する表示時間取得手段を備え、前記更新手段は、前記表示端末に表示された表示画像と、前記表示画像について前記表示時間取得手段が取得した前記表示時間とに基づいて前記基準情報を更新することを特徴とする。
【００１３】
また、本発明の請求項７に記載の動作モード変更方法決定装置は、請求項６に記載の発明の構成に加え、前記表示時間取得手段によって取得された前記表示時間が所定時間以上である場合に、前記更新手段が行う前記基準情報の更新を禁止する更新禁止手段を備えている。
【００１４】
また、本発明の請求項８に記載の表示端末は、請求項１乃至７のいずれかに記載の動作モード変更方法決定装置と、前記画像を表示する表示手段と、前記データ取得手段によって取得された前記画像データによって前記表示手段に画像を表示させる表示制御手段と、動作モードを変更する前記変更手段とを備えている。
【００１５】
また、本発明の請求項９に記載の決定方法は、画像を表示する表示端末に対し、画像の表示切り替えが可能な第一動作モード、及び前記第一動作モードよりも少ない電力で動作する第二動作モードを少なくとも含む複数の動作モードの変更を行う変更手段の動作モードの変更方法を決定する決定方法であって、前記表示端末に表示される画像データを取得するデータ取得ステップと、前記データ取得ステップによって取得された前記画像データから、画像の文書領域、図形領域、及び写真領域の少なくともいずれかを抽出する領域抽出ステップと、前記領域抽出ステップによって抽出された各領域について、ユーザが前記領域を閲覧する推定の時間である推定閲覧時間を割り出す時間割り出しステップと、前記時間割り出しステップによって割り出された各領域の前記推定閲覧時間によって、画像の表示開始から動作モードを前記第二動作モードに変更するまでの変更時間を決定する決定ステップとを備えている。
【００１６】
また、本発明の請求項１０に記載の動作モード変更方法決定プログラムは、請求項１乃至７のいずれかに記載の動作モード変更方法決定装置の各種処理手段としてコンピュータを機能させることを特徴とする。
【発明の効果】
【００１７】
本発明の請求項１に記載の動作モード変更方法決定装置は、取得された画像から文書領域、図形領域、及び写真領域の少なくともいずれかを抽出し、抽出した各領域について推定閲覧時間を割り出す。割り出した推定閲覧時間に基づいて、画像の表示開始から第二動作モードに変更するまでの時間を決定する。従って、動作モード変更方法決定装置は、スキャナで取り込まれた画像等、画像の種別及び文字数等の情報があらかじめ対応付けられていない画像を表示端末が表示させる場合でも、表示端末の動作モードの変更方法を画像に応じて最適化することができる。また、１つの画像に複数種類の領域が含まれている場合でも、推定閲覧時間を適切に割り出し、動作モードの変更方法を決定することができる。
【００１８】
また、本発明の請求項２に記載の動作モード変更方法決定装置は、割り出された推定閲覧時間が長い程、第二動作モードに変更するまでの変更時間を短くする。よって、動作モード変更方法決定装置は、請求項１に記載の発明の効果に加え、画像が短時間で切り替えられることが推定される場合には、画像の表示切り替えが可能な第一動作モードの時間を長くして、素早い画像の切り替えを表示端末に実行させることができる。一方で、画像が長時間表示され続けることが推定される場合には、表示端末の動作モードをより早く第二動作モードに変更させて、消費電力を削減することができる。
【００１９】
また、本発明の請求項３に記載の動作モード変更方法決定装置は、文書領域に含まれる文字の数に基づいて、文書領域の推定閲覧時間を割り出す。これにより、請求項１又は２に記載の発明の効果に加え、ユーザが文書を読み終えるまでの時間を文字数に応じて適切に割り出すことができる。
【００２０】
また、本発明の請求項４に記載の動作モード変更方法決定装置は、図形領域及び写真領域の少なくともいずれかの面積を割り出し、面積が割り出された領域の推定閲覧時間を面積に基づいて割り出す。これにより、請求項１乃至３のいずれかに記載の発明の効果に加え、ユーザが図形及び写真を見続ける推定の時間を、写真の面積に応じて適切に割り出すことができる。
【００２１】
また、本発明の請求項５に記載の動作モード変更方法決定装置は、表示端末の動作の履歴に基づいて、推定閲覧時間を割り出す基準となる基準情報を更新する。よって、請求項１乃至４のいずれかに記載の発明の効果に加え、抽出した画像の領域の種別に加え、表示端末の使用状況に応じた適切な推定閲覧時間を割り出し、適切な動作モードの制御方法を決定することができる。
【００２２】
また、本発明の請求項６に記載の動作モード変更方法決定装置は、画像が表示端末に実際に表示された表示時間を取得し、画像とその画像の表示時間とに基づいて基準情報を更新する。これにより、請求項５に記載の発明の効果に加え、画像及び表示履歴に応じたより適切な推定閲覧時間を容易に割り出し、電力モードの制御方法を決定することができる。
【００２３】
また、本発明の請求項７に記載の動作モード変更方法決定装置は、請求項６に記載の発明の効果に加え、ユーザが別の作業を行っている場合等、画像の更新を所定時間以上行なわなかった場合には、基準情報の更新を禁止することができる。これにより、動作モード変更方法決定装置は、基準情報を適切に更新し、推定閲覧時間をより正確に割り出すことができる。
【００２４】
また、本発明の請求項８に記載の表示端末は、請求項１乃至７のいずれかに記載の発明の効果に加え、自身の動作モードの変更方法を、表示させる画像に応じて決定することができる。従って、どのデバイスから画像データを取得したかに関わらず、表示させる画像に応じて動作モードを適切に変更することができる。
【００２５】
また、本発明の請求項９に記載の決定方法によると、画像から文書領域、図形領域、及び写真領域の少なくともいずれかが抽出され、抽出された各領域について推定閲覧時間が割り出される。割り出された推定閲覧時間に基づいて、画像の表示開始から第二動作モードに変更するまでの時間が決定される。従って、スキャナで取り込まれた画像等、画像の種別及び文字数等の情報があらかじめ対応付けられていない画像を表示端末が表示させる場合でも、表示端末の動作モードの変更方法を画像に応じて最適化することができる。また、１つの画像に複数種類の領域が含まれている場合でも、推定閲覧時間を適切に割り出し、動作モードの変更方法を決定することができる。
【００２６】
また、本発明の請求項１０に記載の動作モード変更方法決定プログラムは、コンピュータに実行させることにより、請求項１乃至７のいずれかに記載の発明の効果を奏することができる。
【図面の簡単な説明】
【００２７】
【図１】表示端末１の正面図である。
【図２】表示端末１の電気的構成を示すブロック図である。
【図３】メモリカード２３の構成を示す模式図である。
【図４】ＥＥＰＲＯＭ１９の構成を示す模式図である。
【図５】ＥＥＰＲＯＭ１９の単独リファレンス情報記憶エリア１９１の構成を示す模式図である。
【図６】ＥＥＰＲＯＭ１９の複合リファレンス情報記憶エリア１９２の構成を示す模式図である。
【図７】ＥＥＰＲＯＭ１９の履歴情報記憶エリア１９３の構成を示す模式図である。
【図８】表示端末１が行うメイン処理のフローチャートである。
【図９】メイン処理中に実行されるファイル追加処理のフローチャートである。
【図１０】メイン処理中に実行される時間割り出し処理のフローチャートである。
【図１１】時間割り出し処理中に実行されるリファレンス更新処理のフローチャートである。
【発明を実施するための形態】
【００２８】
以下、本発明を具現化した一実施の形態である表示端末１について、図面を参照して説明する。尚、参照する図面は、本発明が採用し得る技術的特徴を説明するために用いられるものであり、記載されている装置の構成、各種処理のフローチャートなどは、それのみに限定する趣旨ではなく、単なる説明例である。
【００２９】
まず、図１を参照して、表示端末１の概略構成について説明する。図１は、表示端末１の正面図である。図１に示すように、表示端末１は略直方体形状に形成されており、正面に電気泳動表示装置２１を備えている。電気泳動表示装置２１の右側には、操作キー１４が設けられている。操作キー１４の下方には、電源ボタン１５が設けられている。操作キー１４は、ユーザが画像の切り替えの指示、及びＩＤの入力等を行うためのキーであり、電源ボタン１５は、ユーザが表示端末１の電源のオン・オフを入力するためのボタンである。
【００３０】
ここで、電気泳動表示装置２１、及び表示端末１の動作モードについて説明する。電気泳動表示装置２１は、着色された帯電粒子を移動させることで表示面に画像を表示させることができ、表示面に表示させた画像を少ない電力で維持することができる。詳細には、電気泳動表示装置２１は、表示面の画像を切り替える場合、帯電粒子が分散された表示部に電圧を印加する。これにより、表示部内の帯電粒子を移動させて、画像データに応じた画像を表示面に表示させる。帯電粒子と表示面との間、及び帯電粒子間には付着力が生じるため、画像の切り替え時に要する電力よりも小さい電力で帯電粒子の位置を保持することができる。
【００３１】
表示端末１は、消費電力が異なる第一動作モード及び第二動作モードの２つの動作モードのいずれかで動作することができる。第二動作モードにおける消費電力は、第一動作モードにおける消費電力よりも小さい。第一動作モードでは画像の切り替えが可能であり、第二動作モード中よりも素早く画像が切り替えられる。第二動作モードでは、画像の切り替えはできないが、電気泳動表示装置２１の画像の保存性が活用されて、第一動作モード中よりも小さい電力で画像の表示が維持される。
【００３２】
第二動作モード中に画像の切り替えの指示が行われた場合には、動作モードを第一動作モードに変更してから画像の切り替えを行う必要がある。第二動作モードから第一動作モードへ変更するには時間を要する。さらに、第二動作モードから第一動作モードに変更するためには、通常よりも大きな電力を必要とする。従って、画像が素早く切り替えられる場合には、画像の切り替えの応答性、及び低消費電力化を考慮すると、表示端末１は第一動作モードで動作することが望ましい。このような場合に、動作モードを頻繁に第二動作モードに変更すると、画像の切り替えの応答性が悪化するだけでなく、動作モードを変更する際に大きな電力を消費する。よって、消費電力が小さい第二動作モードで表示端末１を動作させる効果が薄れるからである。一方、画像の切り替えが長時間行われない場合には、消費電力を低下させるために、動作モードはなるべく早く第一動作モードから第二動作モードへ変更することが望ましい。表示端末１は、電気泳動表示装置２１に表示される画像に応じて、動作モードを第一動作モードから第二動作モードへ変更するまでの適切な時間を決定することができ、この点に特徴を有する。
【００３３】
次に、図２乃至図７を参照して、表示端末１の電気的構成について説明する。図２は、表示端末１の電気的構成を示すブロック図である。図３は、メモリカード２３の構成を示す模式図である。図４は、ＥＥＰＲＯＭ１９の構成を示す模式図である。図５は、ＥＥＰＲＯＭ１９の単独リファレンス情報記憶エリア１９１の構成を示す模式図である。図６は、ＥＥＰＲＯＭ１９の複合リファレンス情報記憶エリア１９２の構成を示す模式図である。図７は、ＥＥＰＲＯＭ１９の履歴情報記憶エリア１９３の構成を示す模式図である。
【００３４】
図２に示すように、表示端末１は、表示端末１の制御を司るＣＰＵ１０を備えている。ＣＰＵ１０には、表示コントローラ１１、充電コントローラ１２、メモリカードＩ／Ｆ１３、操作キー１４、電源ボタン１５、外部通信Ｉ／Ｆ１６、ＲＯＭ１７、ＲＡＭ１８、ＥＥＰＲＯＭ１９、及びタイマ２０がバスを介して接続されている。表示コントローラ１１は、画像を表示する電気泳動表示装置２１を制御する。充電コントローラ１２は、バッテリ２２への充電を制御する。メモリカードＩ／Ｆ１３は、表示端末１にメモリカード２３を接続する。外部通信Ｉ／Ｆ１６は、表示端末１を例えばパーソナルコンピュータ２５及びスキャナ２６に接続し、パーソナルコンピュータ２５及びスキャナ２６との間で通信を行うことができる。ＲＯＭ１７は、表示端末１を動作させるためのプログラム及び初期値等を記憶している。ＲＡＭ１８は、各種のデータを一時的に記憶する。ＥＥＰＲＯＭ１９は不揮発性のメモリである。タイマ２０は時間を計測する。
【００３５】
メモリカード２３は、図３に示すように、画像データ及びその属性からなる複数の画像ファイルを記憶することができる。画像ファイルのそれぞれにはファイル名が付されており、画像データは電気泳動表示装置２１への表示が可能な形式に圧縮されて記憶されている。属性には、文字数、図形サイズ、及び写真サイズがある。「文字数」は、画像の文書領域に含まれる文字数の合計である。「図形サイズ」は、グラフ及び表の少なくともいずれかによって構成される図形領域のサイズ（面積）を画素数で表したものである。「写真サイズ」は、画像の写真領域のサイズを画素数で表したものである。
【００３６】
後述するファイル追加処理（図９参照）のレイアウト解析では、画像から文書領域、図形領域、及び写真領域が抽出される。次いで、文書領域が抽出された場合、文書領域内の文字数が算出されて、属性「文字数」に記憶される。図形領域が抽出された場合には、図形領域の画素数が算出されて、属性「図形サイズ」に記憶される。写真領域が抽出された場合には、写真領域の画素数が算出されて、属性「写真サイズ」に記憶される。これらの属性は、ユーザが画像を閲覧すると推定される時間である推定閲覧時間を割り出す際に用いられる。割り出された推定閲覧時間によって、動作モードの変更方法が決定される。これにより、属性があらかじめ対応付けられていない画像を表示させる場合でも適切な動作モードの変更方法を決定することができる。詳細についてはフローチャートを参照して後述する。
【００３７】
ＥＥＰＲＯＭ１９には、図４に示すように、単独リファレンス情報記憶エリア１９１、複合リファレンス情報記憶エリア１９２、履歴情報記憶エリア１９３、推定閲覧時間記憶エリア１９４、及びパスワード記憶エリア１９５等の記憶エリアが設けられている。ここで、リファレンス情報とは、表示端末１の動作の履歴に基づいて累積的に更新されていく情報である。履歴情報とは、推定閲覧時間を割り出す対象の画像と同じレイアウトの画像が前回・前々回に表示された際の情報である。リファレンス情報及び履歴情報が、画像の属性から推定閲覧時間を割り出す際の基準となる基準情報として用いられる。推定閲覧時間の割り出しについては、フローチャートを参照して後述する。
【００３８】
以下、ＥＥＰＲＯＭ１９に記憶される各種情報について説明する。単独リファレンス情報記憶エリア１９１には、図５に示すように、文書領域、図形領域、及び写真領域のそれぞれについて、「平均要素数」及び「一要素当たりの時間」からなる単独リファレンス情報が記憶されている。単独リファレンス情報は、文書領域、図形領域、及び写真領域のいずれかが単独で画像全体を占める画像である単独レイアウト画像が表示された場合に更新される。「平均要素数」は、単独レイアウト画像を構成する要素数について、推定閲覧時間を割り出す基準となる１つの画像当たりの要素数を、過去に表示された単独レイアウト画像の要素数の累積値から割り出したものである。表示端末１では、文書領域の要素を文字、図形領域及び写真領域の要素を画素としているが、これは適宜変更が可能である。「一要素当たりの時間」は、推定閲覧時間を割り出す基準となる一要素当たりの表示時間を、過去に表示された単独レイアウト画像の表示時間及び要素数の累積を用いて算出したものである。「平均要素数」及び「一要素当たりの時間」の算出方法については後述する。表示端末１のリセット後には、ＲＯＭ１７に記憶されている単独リファレンス情報の初期値が単独リファレンス情報記憶エリア１９１に記憶される。
【００３９】
複合リファレンス情報記憶エリア１９２には、図６に示すように、文書領域、図形領域、及び写真領域のうち２種又は３種の領域を含む画像である複合レイアウト画像に関するリファレンス情報（以下、「複合リファレンス情報」という。）が記憶されている。複合リファレンス情報は、複合レイアウト画像に含まれる領域に対応する文字数、図形サイズ、及び写真サイズの情報と、表示時間の情報とからなる。複合レイアウト画像の推定閲覧時間は、画像に含まれる各領域の推定閲覧時間の和と一致するとは限らない。そこで、表示端末１では、複合レイアウト画像を「文書＋図形」、「図形＋写真」、「文書＋写真」、「文書＋図形＋写真」の４種類に分け、それぞれの種類に対応する複合リファレンス情報が記憶されている。これにより、複合レイアウト画像の種類に応じた適切な推定閲覧時間を割り出すことができる。複合リファレンス情報の各値の算出方法については後述する。表示端末１のリセット後には、ＲＯＭ１７に記憶されている複合リファレンス情報の初期値が複合リファレンス情報記憶エリア１９２に記憶される。
【００４０】
履歴情報記憶エリア１９３には、図７に示すように、複合レイアウト画像の種類毎に、過去に複合レイアウト画像が表示された際の情報が履歴情報として記憶されている。履歴情報は、表示された複合レイアウト画像の文字数、図形サイズ、及び写真サイズの情報と、表示時間とからなる。「文書＋図形」、「図形＋写真」、「文書＋写真」の複合レイアウト画像については、前回表示された画像についての履歴情報のみが記憶される。「文書＋図形＋写真」の複合レイアウト画像については、前回及び前々回の履歴情報が記憶される。複合レイアウト画像の推定閲覧時間を割り出す場合、複合リファレンス情報と履歴情報とを用いることで、ユーザが行った直近の操作に依存した推定閲覧時間を割り出すことができる。
【００４１】
推定閲覧時間記憶エリア１９４（図４参照）には、リファレンス情報及び履歴情報に基づいて割り出された推定閲覧時間が記憶される。推定閲覧時間によって、動作モードの変更方法の決定と、表示端末１が放置された場合にロックをかけるための基準となる時間であるロック時間の算出とが行われる。
【００４２】
パスワード記憶エリア１９５（図４参照）には、表示端末１を使用するユーザのＩＤに対応するパスワードが記憶されている。表示端末１がロックされている場合、正規のパスワードを入力することでロックが解除される。尚、ＥＥＰＲＯＭ１９にはその他の各種記憶エリアが設けられている。
【００４３】
以下、本実施の形態に係る表示端末が行う処理について、図面を参照して説明する。図８は、表示端末１が行うメイン処理のフローチャートである。図９は、メイン処理中に実行されるファイル追加処理のフローチャートである。図１０は、メイン処理中に実行される時間割り出し処理のフローチャートである。図１１は、時間割り出し処理中に実行されるリファレンス更新処理のフローチャートである。メイン処理は、表示端末１の電源がオンとされると、ＲＯＭ１７に記憶されたプログラムに従ってＣＰＵ１０が実行する。
【００４４】
図８に示すメイン処理が開始されると、外部通信Ｉ／Ｆ１６によって接続されているパーソナルコンピュータ２５又はスキャナ２６から画像データを受信したか否かが判断される（Ｓ１）。受信した場合には（Ｓ１：ＹＥＳ）、ファイル追加処理が行われる（Ｓ２）。ファイル追加処理では、受信した画像データが公知の画像解析方法によって解析されて、画像データの属性が割り出され、割り出された属性が画像データと共にメモリカード２３（図３参照）に記憶される。
【００４５】
図９に示すように、ファイル追加処理では、画像データが取得されてＲＡＭ１８に記憶される（Ｓ３０）。後述のレイアウト解析を行うために、受信した画像データの前処理が行われる（Ｓ３１）。詳細には、処理を単純化するために、受信した画像データが２値化され、ノイズが除去されて、傾きが補正される。次いで、レイアウト解析が行われる（Ｓ３２）。レイアウト解析は、画像データから文書領域、図形領域、及び写真領域を抽出するための処理である。より詳細には、レイアウト解析では、文字領域のブロック、図形領域のブロック、及び写真領域のブロックを画像データから抽出するブロック抽出処理が行われる。また、抽出された文字領域の文字及び文字列等を解析するために、文字列領域抽出処理及び文字領域抽出処理が行われる。これらの解析方法は公知の処理であるため、解析方法の詳細については省略する。
【００４６】
次いで、レイアウト解析によって文書領域が抽出された場合に、文書領域に含まれる文字数の合計が割り出されて、メモリカード２３の属性「文字数」に記憶される（Ｓ３３）。図形領域が抽出された場合に、図形領域の面積が画素数によって割り出されて、メモリカード２３の属性「図形サイズ」に記憶される（Ｓ３４）。写真領域が抽出された場合に、写真領域の面積が画素数によって割り出されて、属性「写真サイズ」に記憶される（Ｓ３５）。そして、画像データが、電気泳動表示装置２１への表示が可能な形式に、ランレングス圧縮によってデータ変換される（Ｓ３６）。変換された画像データはメモリカード２３に記憶される。その後、処理はメイン処理へ戻る。
【００４７】
図８に戻り、ファイル追加処理（Ｓ２）が終了すると、電源オフの入力が行われたか否かが判断される（Ｓ１８）。ユーザが電源ボタン１５を操作し、電源オフの入力を行った場合には（Ｓ１８：ＹＥＳ）、メイン処理を終了する。電源オフの入力が行われていない場合には（Ｓ１８：ＮＯ）、処理はＳ１の判断へ戻る。
【００４８】
外部から画像データを受信していない場合には（Ｓ１：ＮＯ）、表示端末１の動作がロックされているか否かが判断される（Ｓ４）。ロックされていなければ（Ｓ４：ＮＯ）、画像の切り替え指示が入力されたか否かが判断される（Ｓ５）。ユーザが操作キー１４を操作し、画像の切り替え指示の入力を行った場合には（Ｓ５：ＹＥＳ）、表示させる画像（切り替え後の画像）の推定閲覧時間を割り出すための時間割り出し処理が行われる（Ｓ６）。
【００４９】
図１０に示すように、時間割り出し処理が開始されると、その時点で表示されている表示中画像（切り替え前の画像）の表示時間が取得されて、ＲＡＭ１８に記憶される（Ｓ４１）。後述するが、画像の表示時間はタイマ２０によって計測されている。次いで、切り替え前の表示中画像が表示されている間に電源のオフ・オンが行われたか否かが判断される（Ｓ４２）。表示中に１度も電源のオフ・オンが行われていなければ（Ｓ４２：ＮＯ）、表示中画像の表示時間が所定時間以上であるか否かが判断される（Ｓ４３）。
【００５０】
切り替え前の表示中画像の表示中に電源のオフ・オンが行われておらず（Ｓ４２：ＮＯ）、表示時間が所定時間未満であれば（Ｓ４３：ＮＯ）、表示中画像の表示履歴に基づいて、履歴情報の登録、及びリファレンス情報の更新が行われる。まず、切り替え前の表示中画像が複合レイアウト画像であるか否かが判断される（Ｓ４５）。複合レイアウト画像であれば（Ｓ４５：ＹＥＳ）、履歴情報記憶エリア１９３（図７参照）の中の対応するエリアに、表示中画像の属性（図３参照）である文字数、図形サイズ、写真サイズと、取得された表示時間とが記憶される（Ｓ４６）。その後、リファレンス更新処理が行われる（Ｓ４７）。一方、表示中画像が単独レイアウト画像であれば（Ｓ４５：ＮＯ）、履歴情報の登録は行われず、そのままリファレンス更新処理が行われる（Ｓ４７）。
【００５１】
図１１に示すように、リファレンス更新処理では、切り替え前の表示中画像が複合レイアウト画像であるか否かが判断される（Ｓ６１）。複合レイアウト画像でなく、単独レイアウト画像であれば（Ｓ６１：ＮＯ）、単独リファレンス情報記憶エリア１９１に記憶されている単独リファレンス情報のうち、表示中画像に含まれる領域に対応する領域の「一要素当たりの時間」（図５参照）が更新される（Ｓ６２）。更新後の「一要素当たりの時間」は、更新前の「一要素当たりの時間」及び「平均要素数」と、表示中画像の要素数及び表示時間とによって、以下の式（１）で算出される。
更新後の「一要素当たりの時間」
＝（更新前の「一要素当たりの時間」）×「平均要素数」／（「平均要素数」＋表示中画像の要素数）
＋（表示中画像の表示時間）／（「平均要素数」＋表示中画像の要素数）
・・・・・（１）
【００５２】
次いで、単独リファレンス情報のうち、表示中画像に含まれる領域に対応する領域の「平均要素数」が更新されて（Ｓ６３）、処理は時間割り出し処理へ戻る。更新後の「平均要素数」は、以下の式（２）で算出される。
更新後の「平均要素数」
＝（更新前の「平均要素数」＋表示中画像の要素数）／２
・・・・・（２）
【００５３】
また、切り替え前の表示中画像が複合レイアウト画像である場合には（Ｓ６１：ＹＥＳ）、複合リファレンス情報が更新される。まず、複合リファレンス情報のうちの表示時間の情報が、以下の式（３）によって更新される（Ｓ６４）。
更新後の複合リファレンス情報の表示時間
＝（更新前の複合リファレンス情報の表示時間＋表示中画像の表示時間）／２
・・・・・（３）
【００５４】
次いで、複合リファレンス情報のうちの各要素数の情報が、以下の式（４）によって更新されて（Ｓ６５）、処理は時間割り出し処理へ戻る。
更新後の複合リファレンス情報の要素数
＝（更新前の複合リファレンス情報の要素数＋表示中画像の要素数）／２
・・・・・（４）
【００５５】
図１０に示すように、以上説明した履歴情報の登録、及びリファレンス情報の更新は、切り替え前の表示中画像の表示中に電源のオフ・オンがあった場合（Ｓ４２：ＹＥＳ）、及び切り替え前の画像の表示時間が所定時間以上である場合（Ｓ４３：ＹＥＳ）には行われず、処理はそのままＳ４８の処理へ移行する。これにより、ユーザが表示端末１を放置した場合、又は電源をオフにして画像の閲覧を中断した場合等の情報の更新を禁止することができる。よって、表示端末１は、推定閲覧時間を正確に割り出すことができる。
【００５６】
リファレンス更新処理（Ｓ４７）が終了した場合、電源のオフ・オンがあった場合（Ｓ４２：ＹＥＳ）、及び、切り替え前の画像の表示時間が所定時間以上であった場合（Ｓ４３：ＹＥＳ）には、次に表示させる画像のレイアウトの情報がメモリカード２３（図３参照）から取得される（Ｓ４８）。次の画像が複合レイアウト画像であるか否かが判断される（Ｓ５０）。複合レイアウトであれば（Ｓ５０：ＹＥＳ）、次に表示される複合レイアウト画像に含まれる全領域の履歴情報が存在するか否かが判断される（Ｓ５１）。
【００５７】
次に表示させる画像が単独レイアウト画像である場合（Ｓ５０：ＮＯ）、及び、次の複合レイアウト画像に含まれる領域に対応する履歴情報のいずれかが存在しない場合には（Ｓ５１：ＮＯ）、単独リファレンス情報から推定閲覧時間が割り出される（Ｓ５２）。単独レイアウト画像である場合の推定閲覧時間は、以下の式（５）によって割り出される。
（単独レイアウト画像の推定閲覧時間）
＝（次に表示させる画像の要素数）×（「一要素当たりの時間」）
・・・・・（５）
また、複合レイアウト画像である場合の推定閲覧時間は、上記の式（５）を各領域について適用し、その合計を算出することで割り出される。
【００５８】
具体的に、次に表示させる画像が８００の文字からなる単独レイアウト画像であり、単独リファレンス情報記憶エリア１９１（図５参照）に記憶されている文書領域の「一要素当たりの時間」が０．１２５である場合を例に挙げる。この場合の推定閲覧時間は、次に表示させる画像の文字数である８００に、「一要素当たりの時間」である０．１２５を掛けることで割り出され、１００秒となる。また、次に表示させる画像が、４００の文字と１０００画素の写真からなる複合レイアウト画像であり、文書領域の「一要素当たりの時間」が０．１２５、写真領域の「一要素当たりの時間」が０．００２である場合を例に挙げる。この場合の推定閲覧時間は、文字数４００に０．１２５を掛けた値と、画素数１０００に０．００２を掛けた値との和として割り出され、５２秒となる。割り出された推定閲覧時間は、ＥＥＰＲＯＭ１９の推定閲覧時間記憶エリア１９４（図４参照）に記憶される。
【００５９】
また、次に表示させる画像が複合レイアウト画像であり（Ｓ５０：ＹＥＳ）、対応する全ての履歴情報が存在する場合には（Ｓ５１：ＹＥＳ）、履歴情報及び複合リファレンス情報から推定閲覧時間が割り出される（Ｓ５３）。この処理では、まず、一要素当たりの推定閲覧時間が領域毎に連立方程式から算出される。次いで、算出された値に、対応する領域の要素数を掛けることで、推定閲覧時間が割り出される。
【００６０】
例えば、次に表示させる複合レイアウト画像が文字領域と図形領域とを含む場合、一要素当たりの推定閲覧時間の算出は、以下の式（６）及び式（７）の連立方程式を解くことで行われる。以下の式（６）、（７）では、「文書＋図形」の複合リファレンス情報（図６参照）と履歴情報（図７参照）とが用いられる。
一文字当たりの推定閲覧時間をｘ、図形領域の一画素当たりの推定閲覧時間をｙとすると、
（複合リファレンス情報の文字数）・ｘ＋（複合リファレンス情報の図形サイズ）・ｙ＝（複合リファレンス情報の表示時間）
・・・・・（６）
（履歴情報の文字数）・ｘ＋（履歴情報の図形サイズ）・ｙ＝（履歴情報の表示時間）
・・・・・（７）
【００６１】
次いで、次に表示させる画像の文字数にｘを掛けた値と、次に表示させる画像の図形サイズにｙを掛けた値との和が算出され、この値が推定閲覧時間として推定閲覧時間記憶エリア１９４（図４参照）に記憶される。
【００６２】
尚、次に表示させる複合レイアウト画像が文字領域、図形領域、及び写真領域を含む場合、算出すべき一要素当たりの推定閲覧時間は３つ存在する。従って、上記（７）の式として、前回の履歴情報についての式と、前々回の履歴情報についての式の２つの式が作成される。（６）の式と合わせた３つの式の連立方程式を解くことで、一要素当たりの推定閲覧時間が算出されることとなる。
【００６３】
推定閲覧時間の割り出しが行われると（Ｓ５２、Ｓ５３）、割り出された推定閲覧時間からロック時間が算出される（Ｓ５４）。ロック時間とは、表示端末１が放置された場合にロックをかけるための基準となる時間である。ロック時間は、推定閲覧時間に所定の時間（例えば３００秒）を足すことで算出されるが、本実施の形態では、動作モードを第二動作モードへ移行させるまでの後述の第一時間及び第二時間よりも長いロック時間を決定する。従って、推定閲覧時間に所定の時間を足しても第一時間及び第二時間に満たない場合には、第一時間及び第二時間よりも長い所定のロック時間が決定される。尚、ロック時間の算出方法はこれに限られない。ロック時間が算出されると、処理はメイン処理へ戻る。
【００６４】
図８に戻り、時間割り出し処理（Ｓ６）が終了すると、画像の切り替えが可能な第一動作モードとされる（Ｓ７）。電気泳動表示装置２１に表示されていた画像が、切り替え指示によって指示された画像に切り替えられる（Ｓ８）。タイマ２０による画像の表示時間の計測が開始される（Ｓ９）。割り出された推定閲覧時間が、あらかじめ定められた基準時間以下であるか否かが判断される（Ｓ１０）。
【００６５】
推定閲覧時間が基準時間より長い場合には（Ｓ１０：ＮＯ）、画像がしばらく切り替えられないことが推定される。従って、消費電力を低下させるために、動作モードを早めに第二動作モードに変更することが望ましい。ここで、画像の表示開始から動作モードを第二動作モードに変更するまでの時間として、第一時間、および第一時間よりも長い第二時間があらかじめ定められている。推定閲覧時間が基準時間より長い場合には（Ｓ１０：ＮＯ）、第二時間よりも短い第一時間が経過したか否かが判断され（Ｓ１１）、第一時間が経過した時点で（Ｓ１１：ＹＥＳ）、動作モードが第二動作モードに変更される（Ｓ１２）。第一時間が経過していなければ（Ｓ１１：ＮＯ）、動作モードは第一動作モードのまま、処理はＳ１５の判断へ移行する。
【００６６】
推定閲覧時間が基準時間以下の場合には（Ｓ１０：ＹＥＳ）、画像が早く切り替えられることが推定されるため、画像の切り替えの応答速度に優れる第一動作モードを長めに継続しておくことが望ましい。よって、先述した第一時間よりも長い第二時間が経過したか否かが判断され（Ｓ１３）、第二時間が経過するまで（Ｓ１３：ＮＯ）、第一動作モードが維持される。第二時間が経過すると（Ｓ１３：ＹＥＳ）、動作モードが第二動作モードに変更されて（Ｓ１２）、処理はＳ１５の判断へ移行する。
【００６７】
次いで、ロック時間が経過したか否かが判断される（Ｓ１５）。ロック時間が経過していなければ（Ｓ１５：ＮＯ）、処理はＳ１８の判断へ移行する。ロック時間が経過した場合には（Ｓ１５：ＹＥＳ）、電気泳動表示装置２１に表示されていた画像が消去されて、パスワードの入力以外の操作キー１４の操作が禁止される。すなわち、表示端末１がロックされる（Ｓ１６）。また、表示端末１がロックされている場合には（Ｓ４：ＹＥＳ）、操作キー１４によってパスワードが入力されたか否かが判断される（Ｓ２０）。正規のパスワードが入力されていなければ（Ｓ２０：ＮＯ）、処理はそのままＳ１８の判断へ移行する。正規のパスワードが入力された場合には（Ｓ２０：ＹＥＳ）、消去されていた画像が再び表示されて、禁止されていた操作キー１４の操作が許可される。すなわち、表示端末１のロックが解除される（Ｓ２１）。そして、処理はＳ９へ移行する。
【００６８】
以上説明したように、本実施の形態の表示端末１は、パーソナルコンピュータ２５又はスキャナ２６から取得した画像データを解析し、文書領域、図形領域、写真領域の少なくともいずれかを抽出する。抽出した各領域について推定閲覧時間を割り出す。割り出した推定閲覧時間に基づいて、画像の表示開始から第二動作モードに変更するまでの時間を決定する。従って、表示端末１は、スキャナで取り込まれた画像等、画像の種別及び文字数等の情報があらかじめ対応付けられていない画像を表示させる場合でも、画像に応じて動作モードの変更方法を最適化することができる。また、１つの画像に複数種類の領域が含まれている場合でも、推定閲覧時間を適切に割り出し、動作モードの変更方法を決定することができる。
【００６９】
詳細には、表示端末１は、割り出した推定閲覧時間が基準時間よりも長ければ、基準時間以下の場合よりも早く動作モードを第二動作モードに変更する。よって、表示端末１は、画像が短時間で切り替えられることを推定した場合には、切替に長時間を要すると推定した場合よりも、画像の切り替えが可能な第一動作モードの時間を長くする。その結果、頻繁に画像が切り替えられることが推定される場合には、第一動作モードから第二動作モードに変更される頻度が減少し、第一動作モードが実行されている割合が増え、画像が繰り返し素早く切り替えられていく。動作モードは無駄に変更されないため、動作モードの変更に要する消費電力も削減することができる。一方で、画像が長時間表示され続けることを推定した場合には、動作モードをより早く第二動作モードに変更し、消費電力を削減することができる。
【００７０】
表示端末１は、文書領域に含まれる文字の数に基づいて、文書領域の推定閲覧時間を割り出す。これにより、ユーザが文書を読み終えるまでの時間を適切に割り出すことができる。また、表示端末１は、図形領域及び写真領域の面積を割り出し、面積を割り出した領域の推定閲覧時間を、面積に基づいて適切に割り出すことができる。詳細には、文字数が多い程、又は面積が広い程、長い推定閲覧時間を割り出すことで、画像に応じた適切な推定閲覧時間を割り出し、動作モードの変更方法を決定することができる。
【００７１】
表示端末１は、画像が実際に電気泳動表示装置２１に表示された表示時間を取得し、取得した表示時間に基づいて、リファレンス情報及び履歴情報からなる基準情報を更新する。更新した基準情報を用いて推定閲覧時間を割り出す。従って、ユーザが画像を閲覧した履歴に応じて適切な推定閲覧時間を割り出し、動作モードの変更方法を決定することができる。また、表示端末１は、画像の切り替えが所定時間以上行われなかった場合、基準情報の更新を禁止することができる。これにより、表示端末１は、基準情報の更新を適切に行い、より正確な推定閲覧時間を割り出すことができる。
【００７２】
表示端末１は、割り出した推定閲覧時間を用いて、動作をロックするタイミングを決定するための時間であるロック時間を算出することができる。従って、表示端末１は、画像に応じて動作モードの変更方法を決定できるだけでなく、正規のユーザ以外のユーザの画像の閲覧を防止するためのロックの制御を、推定閲覧時間を利用して適切に行うことができる。
【００７３】
尚、上記実施の形態において、電気泳動表示装置２１が本発明の「表示手段」に相当する。図８のＳ８で電気泳動表示装置２１の画像の表示を制御するＣＰＵ１０、及び表示コントローラ１１が「表示制御手段」として機能する。図８のＳ７及びＳ１２で動作モードを変更するＣＰＵ１０が「変更手段」として機能する。図９のＳ３０で画像データを取得するＣＰＵ１０が「データ取得手段」として機能する。図９のＳ３２でレイアウト解析を行うＣＰＵ１０が「領域抽出手段」として機能する。図１０のＳ５２，５３で推定閲覧時間を割り出すＣＰＵ１０が「時間割り出し手段」として機能する。図８のＳ１０で、画像の表示開始から動作モードを第二動作モードに変更するまでの変更時間を決定するＣＰＵ１０が「決定手段」として機能する。
【００７４】
図９のＳ３３で、文書領域に含まれる文字の数を割り出すＣＰＵ１０が「文字数割り出し手段」として機能する。図９のＳ３４，３５で図形領域及び写真領域の面積を割り出すＣＰＵ１０が「面積割り出し手段」として機能する。リファレンス情報及び履歴情報からなる基準情報を記憶するＥＥＰＲＯＭ１９が「記憶手段」に相当する。図１０のＳ５２，５３で、ＥＥＰＲＯＭ１９から基準情報を取得するＣＰＵ１０が「基準情報取得手段」として機能する。図１０のＳ４６、及び図１１のリファレンス更新処理で基準情報を更新するＣＰＵ１０が「更新手段」として機能する。図１０のＳ４１で、画像が電気泳動表示装置２１に表示されていた表示時間を取得するＣＰＵ１０が「表示時間取得手段」として機能する。図１０のＳ４３で、画像の表示時間が所定時間以上である場合に基準情報の更新を禁止するＣＰＵ１０が「更新禁止手段」として機能する。
【００７５】
図９のＳ３０で画像データを取得する処理が「データ取得ステップ」に相当する。図９のＳ３２でレイアウト解析を行う処理が「領域抽出ステップ」に相当する。図１０のＳ５２，５３で推定閲覧時間を割り出す処理が「時間割り出しステップ」に相当する。図８のＳ１０で、画像の表示開始から動作モードを第二動作モードに変更するまでの変更時間を決定する処理が「決定ステップ」に相当する。
【００７６】
尚、本発明は上記実施の形態に限定されることはなく、様々な変形が可能であることは言うまでもない。上記実施の形態では、画像を表示する表示端末１が、表示する画像に応じて、自身の動作モードの変更方法を決定する。すなわち、表示端末１が、動作モードの変更方法を決定する動作モード変更方法決定装置として機能する。これにより、表示端末１は、画像データをいずれのデバイスから取得したかに関わらず、表示端末１自身が表示する画像に応じて動作モードの変更方法を決定することができる。しかしながら、上記の各種処理を行う装置、すなわち、動作モード変更方法決定装置として機能する装置は、表示端末１に限られない。例えば、画像を取り込むスキャナで上記の各種処理を行い、スキャナで決定された動作モード変更方法と画像データとを表示端末に送信してもよい。表示端末がパーソナルコンピュータへ画像データを送信し、パーソナルコンピュータが動作モード変更方法を決定してもよい。
【００７７】
文書領域、図形領域、及び写真領域を抽出するための解析方法、及び文字数、面積を割り出すための解析方法は、文書画像解析に限られない。例えば、画像の孤立点を抽出し、抽出した孤立点の数に応じて文書領域、図形領域、及び写真領域を抽出してもよい。文書領域では色の変化が少ないため、抽出される孤立点は少ない。一方で、写真領域では色の変化が多いため、多くの孤立点が抽出される。よって、孤立点が少ない領域を文書領域、孤立点が多い領域を写真領域、その中間を図形領域として各領域を抽出することもできる。また、周知のＯＣＲ（Ｏｐｔｉｃａｌ  Ｃｈａｒａｃｔｅｒ  Ｒｅａｄｅｒ：光学式文字読取装置）を利用して画像データを解析してもよいし、フルカラーの領域であるか否かによって写真領域であるか否かを判断してもよい。
【００７８】
表示端末１の動作モードは２種類（第一動作モード及び第二動作モード）であるが、本発明に係る動作モード変更方法決定装置は、３種類以上の動作モードの変更方法であっても決定できることは勿論である。例えば、第一動作モード及び第二動作モードに加え、ＵＳＢ等のデバイスの動作を停止させるディープスリープモードで動作することも可能な表示端末に対しても、本発明は適用できる。
【００７９】
表示端末１は、２種類の動作モード変更方法のいずれかを決定しているが（Ｓ１０〜Ｓ１３、図８参照）、本発明によれば、３種類以上の動作モード変更方法の１つを画像に応じて決定することも可能である。例えば、割り出された推定閲覧時間と、複数の動作モード変更方法のいずれかとを対応付けるテーブルデータを参照して、３種類以上の動作モード変更方法の１つを決定してもよい。
【００８０】
推定閲覧時間の割り出し方法も適宜変更できる。例えば、リファレンス情報（図５及び図６参照）を使用せずに、過去数回の画像の表示履歴から一要素当たりの閲覧時間の平均値を算出する。そして、算出した平均値と次の画像の要素数とを掛けることで推定閲覧時間を割り出してもよい。また、表示端末１は、図形領域及び写真領域の推定閲覧時間を、領域の画素数を用いて割り出しているが、画像の個数等の他の要素を用いて割り出してもよい。また、表示端末１は、画像の表示履歴に応じて更新される基準情報を用いて推定閲覧時間を割り出す。つまり、表示端末１は学習機能を備える。しかし、学習機能は必須ではない。例えば、一要素当たりの閲覧時間をあらかじめ記憶しておき、次の画像の要素数に単純に掛けることで推定閲覧時間を割り出してもよい。この場合、一要素当たりの閲覧時間をユーザが変更できるように設定してもよい。
【００８１】
また、表示させる画像が過去に既に表示された画像であるか否かに応じて、推定閲覧時間の割り出し方法を変更してもよい。例えば、過去に表示されたか否か、過去に表示された回数、又は過去に表示されていた時間を、画像毎に記憶する。図１０のＳ５２及びＳ５３で推定閲覧時間を割り出す際に、表示させる画像が既に表示された画像であれば、初めて表示させる画像の場合よりも短い推定閲覧時間を割り出す。または、過去に表示された回数・時間が多い程短い推定閲覧時間を割り出す。これにより、より適切に推定閲覧時間を割り出すことができる。
【符号の説明】
【００８２】
１    表示端末
１０    ＣＰＵ
１１    表示コントローラ
１７    ＲＯＭ
１８    ＲＡＭ
１９    ＥＥＰＲＯＭ
２０    タイマ
２１    電気泳動表示装置
２３    メモリカード
【図１】
2010198271.tif 000003
【図２】
2010198271.tif 000004
【図３】
2010198271.tif 000005
【図４】
2010198271.tif 000006
【図５】
2010198271.tif 000007
【図６】
2010198271.tif 000008
【図７】
2010198271.tif 000009
【図８】
2010198271.tif 000010
【図９】
2010198271.tif 000011
【図１０】
2010198271.tif 000012
【図１１】
2010198271.tif 000013